(57)【特許請求の範囲】
【請求項１】
ホスト基地局と、それに通信回線を介して接続される通信カラオケ端末とを備える通信カラオケシステムであって、
前記ホスト基地局は、データベースと中央演算装置と切替装置とを備え、
このデータベースは、楽曲データと歌詞データからなる基本データと、時間毎に更新される各種の情報データと、種別毎に設けられるメロディデータ及び声データとを備え、
前記各種の情報データは、前記種別毎に分類されると共に文字データと静止画像からなり、
前記中央制御装置は、前記通信カラオケ端末からリクエストを受けたときには、リクエストされた基本データを前記切替装置に選択させて通信カラオケ端末に送信し、
前記通信カラオケ端末からリクエストがないときは、所定の情報データと共に当該情報データと同じ種別のメロディデータ及び声データを前記切替装置に選択させて通信カラオケ端末に送信し、
前記通信カラオケ端末は、静止画像処理装置と文字処理手投と電子音楽発生装置と音声発生装置とを備え、所望の基本データのリクエストを送信可能とすると共に、
基本データを受信した際は受信したデータに基づいて前記カラオケモードを実行し、カラオケモードでない期間には前記情報モードを実行し、
前記カラオケモードでは、前記歌詞データを前記文字処理装置にて処理して表示装置に表示し、前記楽曲データを前記電子音楽発生装置にて再生してスピーカーから演奏し、
前記情報モードでは、受信した情報データの静止画像を前記静止画像処理装置にて処理して表示装置に表示し、当該情報データの文字データを前記文字処理装置にて処理して前記表示装置に表示し、当該情報データと同じ種別のメロディデータを電子音楽発生装置にて再生してスピーカーから演奏し、当該情報データと同じ種別の声データを前記音声発生装置にて再生してスピーカーから放音することを特徴とする通信カラオケシステム。
【発明の詳細な説明】
【０００１】
【産業上の利用分野】本発明は通信カラオケシシステム、特に、通信カラオケ装置における情報画面に音声を追加する方法とその装置に関する。
【０００２】
【従来の技術】
通信カラオケ装置はリクエストされた曲のメロディーをスピーカーから放音するとともに、表示装置には、歌詞や曲に合った風景や人物の映像を映し、更に歌詞の文句を文字として表示装置にスーパーインポーズしている。
【０００３】
図４において、従来の通信カラオケシステムの構成を説明する。
通信カラオケ端末２はＩＳＤＮ（光ファイバーの高密度情報）回線１から音楽信号を受信し、記憶装置３に蓄積し、再生装置４で再生して演奏する。
ＩＳＤＮ回線１の先にあるホスト基地局２０のデータベース２１では、カラオケの基本データとなる多数の楽曲データ２２とその組となる歌詞データ２３を蓄積するとともに、最新の各種一般情報データ２５が蓄積されている。
楽曲データ２２はＩＳＤＮ回線１を介し、各店の通信カラオケ端末２に送られ、通信カラオケ端末２では、カラオケモードとして楽曲データ２２を解凍し、電子音楽発生装置（ＭＩＤＩ）８により演奏する。スピーカー３０の前には増幅器３１が設けられ、音楽やボーカルはスピーカー３０より放音される。
通信カラオケ端末２は本来のリクエスト曲の演奏に加えて、演奏曲が休みの間、表示装置９には、一般情報データ２５の気象情報や交通情報を提供する情報モードの機能がある。
【０００４】
一般情報データ２５には、時間毎に更新されるニュース２６や天気予報２７や交通情報２８等があり、これらは所定の契約により、新聞社２９や交通情報センターからホスト基地局２０に送られてくる。
これら各種情報の提供は有料であり、広告データも含まれ、宣伝広告が各種情報の提供とともに放送される。
ニュース２６や天気予報２７等は新聞紙面のように、静止画像と文字・記号により構成され、通信カラオケ端末２の静止画像回路５及び文字処理回路６でそれぞれ処理され表示装置９に表示される。
【０００５】
最新の各種情報データ２５、例えば天気情報予報２７は天気図と天気マークと文字データからなり、またニュース２６はほとんど文字データからなり、音声データは含まれていない。
表示される文字データはカラオケ演奏時の歌詞の文字と同じくテロップと呼ばれ、天気予報データ２７等は放送の進行とともに、ＣＲＴ等の表示装置９に、次の文章の文字データが現れるようになっている。
【０００６】
ホスト基地局２０では、カラオケモードと情報モードとがＣＰＵ１６の指令により切替回路１９で選択される。
ＲＡＭ１８はＩＳＤＮ回線１からＤＳＵ２５を介して受信されるリクエスト曲を一時記憶する。
【０００７】
従来では、演奏曲が休みの間、表示装置９には、要求により、または自動的に情報データ２５の気象情報２７や交通情報２８が文字や静止画像として表示される。
ここで、最新の各種情報データ２５、例えば天気情報予報２７は天気図と天気マークと文字データからなり、またニュース２６はほとんど文字データからなり、楽曲や音声データが含まれていないものである。
【０００８】
【課題を解決するための手段】
本発明は上記目的を達成するために、ホスト基地局と、それに通信回線を介して接続される通信カラオケ端末とを備える通信カラオケシステムであって、ホスト基地局は、データベースと中央演算装置と切替装置とを備える。このデータベースには、楽曲データと歌詞データからなる基本データと、時間毎に更新される各種の情報データと、種別毎に設けられるメロディデータ及び声データとを備える。
前記各種の情報データは、前記種別毎に分類されると共に文字データと静止画像からなり、中央制御装置は、前記通信カラオケ端末からリクエストを受けたときには、リクエストされた基本データを切替装置に選択させて通信カラオケ端末に送信し、通信カラオケ端末からリクエストがないときは、所定の情報データと共に当該情報データと同じ種別のメロディデータ及び声データを切替装置に選択させて通信カラオケ端末に送信する。
通信カラオケ端末は、静止画像処理装置と文字処理手投と電子音楽発生装置と音声発生装置とを備え、所望の基本データのリクエストを送信可能とする。
基本データを受信した際は受信したデータに基づいて前記カラオケモードを実行し、カラオケモードでない期間には前記情報モードを実行する。
カラオケモードでは、歌詞データを前記文字処理装置にて処理して表示装置に表示し、楽曲データを前記電子音楽発生装置にて再生してスピーカーから演奏する。
情報モードでは、受信した情報データの静止画像を前記静止画像処理装置にて処理して表示装置に表示し、当該情報データの文字データを文字処理装置にて処理して表示装置に表示し、当該情報データと同じ種別のメロディデータを電子音楽発生装置にて再生してスピーカーから演奏し、当該情報データと同じ種別の声データを音声発生装置にて再生してスピーカーから放音する。
この情報モードでは、客は情報の種別を示す音楽・メロディ及び予告アナウンスの声を聞きながら表示装置上の文字と静止画像や記号を見るので、各種情報の伝達が確実に行われる。
【０００９】
【課題を解決するための手段】
楽曲データとその歌詞データからなる音楽の基本データとニュース等の文字と静止画像や記号からなる各種情報データとを備えたホスト基地局と、この基地局と通信回線で接続され基本データを受信し、楽曲データを電子音楽発生装置で再生しスピーカーから演奏すると同時に、その歌詞データを楽曲データに合わせた映像とともに表示装置に表示するカラオケモードと、各種データを受信し、ニュース等の文字と静止画像や記号を表示装置に表示する情報モード機能を有する通信カラオケ端末とからなる通信カラオケシステムにおいて、
ホスト基地局のニュース等の文字と静止画像や記号からなる各種情報データには情報データの種別に合わせた音楽データと声データとを追加して設け、通信カラオケ端末の情報モードでは、各種情報データを受信し、ニュース等の文字や静止画像や記号を表示装置に表示するとともに、音楽データを電子音楽発生装置で再生してスピーカーから演奏し、かつ声データを音声発生装置で再生してスピーカーから放音するようにした。
【００１０】
【実施例】
図２において、通信カラオケシステムの構成について説明する。
従来と同一の部分には、同一の符号を付けて説明は簡単にする。
通信カラオケ装置はリクエストされた曲のメロデーをスピーカーから放音するとともに、表示装置には、歌詞や曲に合った風景や人物の映像を映し、更に歌詞の文句を文字として、スーパーインポーズしている。
【００１１】
通信カラオケ端末２はＩＳＤＮ（光ファイバーの高密度情報）回線１から音楽信号を受信し、記憶装置３に蓄積し、再生装置４で再生して演奏する。
ＩＳＤＮ回線１の先にあるホスト基地局２０のデータベース２１では、多数の楽曲データ２２とそれと組の歌詞データ２３とからなる基本データ２７を蓄積するとともに、最新の各種情報データ１０が蓄積されている。
【００１２】
最新の各種情報データ１０には、時間毎に更新されるニュース１１や天気予報１２や交通情報１３等があり、これらは所定の契約により、新聞社２９や交通情報センターからホスト基地局２０に送られてくる。
表１に示すように各種情報データ１０には対応してメロデイデータ１４、声データ１５がそれぞれ設けられている。
【００１３】
0003545065.tif 000002
【００１４】
例えば、ニュース１１ではメロデイデータ１４には行進曲が、声データ１５には”ニュースをお伝えしています”等のボーカルがそれぞれ割り当てられている。
また、天気予報１２ではメロデイデータ１４には例えば、童謡メロデイが、声データ１５には”今日の天気です”等のボーカルがそれぞれ割り当てられている。
更に、交通情報１３ではメロデイデータ１４には例えば、クラッシク音楽が、声データ１５には”ニュースをお伝えしています”等のボーカルがそれぞれ割り当てられている。
最新の各種情報データ１０は、時々刻々更新されるが、各楽曲データ１２や声データ１３は情報の内容を直接表現するものではなく効果増幅要因機能であるので、一定の期間は同一のデータを繰り返し共通に使用する。
【００１５】
通信カラオケ端末２は本来のリクエスト曲の演奏（カラオケモード）に加えて、演奏曲が休みの間、表示装置９には、情報データ２５の気象情報２７や交通情報２８を提供する（情報モード）機能がある。
データベース２１には、歌詞データ２３や一般情報データの表示に使用する文字データに、必要なフォントデータも蓄積されている。
最新の各種情報データ１０、例えば天気情報予報１２は静止画像の天気図および天気マークと文字データからなり、またニュース１１はほとんど文字データからなり、音声データは含まれていない。
【００１６】
受信ＲＡＭ１８はＤＳＵ（デイジタル回線端末ユニット）２５を介し、カラオケ端末の各店からくる各種要求を一時記憶する。
プログラムＲＯＭ１６にはＣＰＵ１７の動作を制御するプログラムが記憶されている。切替回路１９は基本データ２７と各種情報データ１０とを択一的に選択してＤＳＵ２５にデータを送る。
表示される文字データはカラオケ演奏時の歌詞の文字と同じくテロップと呼ばれ、天気予報１２等の情報データ１０の表示の進行とともに、ＣＲＴ等の表示装置９に次々文章の文字データが現れるようになっている。
【００１７】
次に、情報画面に音声を追加するホスト局側のＣＰＵ動作を図３のフローチャートに従って説明する。
まず、ステップＳ１では、カラオケのリクエストがあったかどうか、カラオケ店毎に受信ＲＡＭ１８を調べる。リクエストがされた店にはステップＳ２で、ＣＰＵ１７は切替回路１９で基本データ２７を選択し、楽曲と歌詞のデータ２２、２３をＩＳＤＮ回線１へ送る。
カラオケ端末２では、受信した基本データ２７を記憶装置３に一時記録し、記憶装置３から静止画像を静止画像回路５に、歌詞を文字処理回路６に、ナレーションの音声をボーカル回路７に、楽曲データ２２を電子音楽発生装置（ＭＩＤＩ）８にそれぞれ分離して送る。こうして、通常のカラオケ演奏（カラオケモード）となる。
【００１８】
リクエストがない店に対しては、ステップＳ３に進み、ＣＰＵ１７は切替回路１９で各種情報データ１０を選択し、同時にメロディーデータ１４と声データ１５をＩＳＤＮ回線１へ送る。
カラオケ端末２では、ステップＳ４で受信した情報データ１０を記憶装置３に一時記録し、そこから例えば、天気予報１２の静止画像を静止画像回路５に、天気予報１２の文書を文字処理回路６に、ナレーションの声データ１５をボーカル回路７に、メロディーデータ１４を電子音楽発生装置（ＭＩＤＩ）８にそれぞれ分離して送る。
【００１９】
静止画像回路５と文字処理回路６ではマークと文字の視覚情報は表示装置９に、ボーカル回路７と電子音楽発生装置（ＭＩＤＩ）８では声とメロディーの聴覚情報はスピーカー３０に送られる。
例えば表１の天気予報１２を送信する場合では、メロディーデータ１４の童謡メロデイと、声データ１５の”今日の天気予報です”等のボーカルを送音する。
【００２０】
カラオケ演奏が一休みしている店では図１に示すように、表示装置９の画面には天気予報のタイトルと、日本地図が表示され、晴れの太陽マーク及び雨の傘マーク等が重ねて表示される。一方スピーカー３０からは童謡メロディーと、”今日の天気予報です”のボーカルが放音される。
なお、メロディーデータには聞く者に心地良い安心感を与えるイージーリスニング音楽やＢＧＭ（背景音楽）データを使用してもよい。
【００２１】
【発明の効果】
以上説明してきたようにこの発明では、楽曲データとその歌詞データからなる音楽の基本データとニュース等の文字と静止画像や記号からなる各種情報データとを備えたホスト基地局と、この基地局と通信回線で接続され基本データを受信し、楽曲データを電子音楽発生装置で再生しスピーカーから演奏すると同時に、その歌詞データを楽曲データに合わせた映像とともに表示装置に表示するカラオケモードと、各種情報データを受信しニュース等の文字と静止画像や記号を表示装置に表示する情報モード機能を有する通信カラオケ端末とからなる通信カラオケシステムにおいて、
ホスト基地局のニュース等の文字と静止画像や記号からなる各種情報データには情報データの種別に合わせた音楽データと声データとを追加して設け、通信カラオケ端末の情報モードでは、各種情報データを受信し、ニュース等の文字や静止画像や記号を表示装置に表示するとともに、音楽データを電子音楽発生装置で再生してスピーカーから演奏し、かつ声データを音声発生装置で再生してスピーカーから放音するようにした。
かくして、情報モード時でも、文字表示中に声やメロディーが流れると耳からも情報が入ってくるので楽しく感じる。
通信カラオケ装置が本来備えている基本機能、ボーカル再生、ＭＩＤＩ演奏を応用するので、コストが殆どかからなくて済む。
【図面の簡単な説明】
【図１】本発明のカラオケ端末における画面表示と放音状態を示す図である。
【図２】本発明の通信カラオケシステムの構成の全体ブロック図である。
【図３】本発明の通信カラオケシステムの動作を示すフローチャートである。
【図４】従来の通信カラオケシステムの構成の全体ブロック図である。
【符号の説明】
１  ＩＳＤＮ回線
２  通信カラオケ端末
３  記憶装置
４  再生装置
５  静止画像回路
６  文字処理回路
７  ボーカル回路
８  電子音楽発生装置（ＭＩＤＩ）
９  表示装置
１０  情報データ
１１  ニュースデータ
１２  天気予報
１３  交通情報
１４  メロディーデータ
１５  声データ
１６  プログラムＲＯＭ
１７  ＣＰＵ
１９  切替回路
２０  ホスト基地局
２１  データベース
２２  楽曲データ
２３  歌詞データ
２９  新聞社
３０  スピーカー
【図１】
0003545065.tif 000003
【図２】
0003545065.tif 000004
【図３】
0003545065.tif 000005
【図４】
0003545065.tif 000006